【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
成膜材料と、該成膜材料が溶解または分散される液性媒体とを含み、
室温での動粘性係数が２．５×１０−７ｍ２／ｓ以上かつ２３５×１０−７ｍ２／ｓ以下であり、
供給ラインを通過する際の前記機能性インクの速度が０．１ｍ／ｓ以上かつ２ｍ／ｓ以下であり、前記供給ラインを構成する管体の内径が０．１×１０−３ｍ以上かつ１０×１０−３ｍ以下である場合に、室温で前記供給ライン内を通過する際のレイノルズ数が２，３００以下となるように調整されていることを特徴する機能性インク。
【請求項２】
室温での静的粘性係数が０．３×１０−３Ｐａ・ｓ以上かつ２０×１０−３Ｐａ・ｓ以下である請求項１に記載の機能性インク。
【請求項３】
密度が８５０ｋｇ／ｍ３以上かつ１，２００ｋｇ／ｍ３以下である請求項１または２に記載の機能性インク。
【請求項４】
室温での溶存ガス量が５０ｐｐｍ以下である請求項１ないし３のいずれか１項に記載の機能性インク。
【請求項５】
請求項１ないし４のいずれか１項に記載の前記機能性インクを、供給ラインを介して液滴吐出ヘッドに供給する工程と、
前記機能性インクを前記液滴吐出ヘッドから液滴として吐出して、記録媒体上に付着させることにより、前記機能性インクの液状被膜を形成する工程と、
前記液状被膜を乾燥させて、膜を形成する工程と、を有することを特徴とする成膜方法。
【請求項６】
請求項１ないし４のいずれか１項に記載の前記機能性インクを貯留する貯留部と、
前記機能性インクを液滴として吐出する液滴吐出ヘッドと、
前記貯留部と前記液滴吐出ヘッドとを接続し、前記機能性インクを前記貯留部から前記液滴吐出ヘッドに移送する供給ラインとを有することを特徴とする液滴吐出装置。
【手続補正２】
【補正対象書類名】明細書
【補正対象項目名】発明の名称
【補正方法】変更
【補正の内容】
【発明の名称】機能性インク、成膜方法および液滴吐出装置
【手続補正３】
【補正対象書類名】明細書
【補正対象項目名】０００１
【補正方法】変更
【補正の内容】
【０００１】
本発明は、機能性インク、成膜方法および液滴吐出装置に関する。
【手続補正４】
【補正対象書類名】明細書
【補正対象項目名】０００７
【補正方法】変更
【補正の内容】
【０００７】
本発明の目的は、供給ライン内を通過する際に流れに乱れが生じ難い機能性インク、この機能性インクを用いた成膜方法および液滴吐出装置を提供することにある。
【手続補正５】
【補正対象書類名】明細書
【補正対象項目名】０００９
【補正方法】変更
【補正の内容】
【０００９】
［適用例１］
本発明の機能性インクは、成膜材料と、該成膜材料が溶解または分散される液性媒体とを含み、
室温での動粘性係数が２．５×１０−７ｍ２／ｓ以上かつ２３５×１０−７ｍ２／ｓ以下であり、
供給ラインを通過する際の前記機能性インクの速度が０．１ｍ／ｓ以上かつ２ｍ／ｓ以下であり、前記供給ラインを構成する管体の内径が０．１×１０−３ｍ以上かつ１０×１０−３ｍ以下である場合に、室温で前記供給ライン内を通過する際のレイノルズ数が２，３００以下となるように調整されていることを特徴する。
【手続補正６】
【補正対象書類名】明細書
【補正対象項目名】００１０
【補正方法】変更
【補正の内容】
【００１０】
かかる特性を有するように調整された機能性インクは、供給ライン内において、その流れが層流となるため乱れが生じ難くなり、円滑かつ確実に供給ライン内を移送することができる。
また、前記供給ラインを構成する管体の内径が０．１×１０−３〜１０×１０−３ｍであることにより、機能性インクは、供給ライン内を通過させる際に、その流れに乱流が特に生じ難くなる。
さらに、前記供給ラインを通過する際の前記機能性インクの速度が０．１〜２ｍ／ｓであることにより、供給ライン内で機能性インクの乱流が発生することをより確実に防止することができる。
【手続補正７】
【補正対象書類名】明細書
【補正対象項目名】００１１
【補正方法】変更
【補正の内容】
【００１１】
［適用例２］
本発明の機能性インクでは、室温での静的粘性係数が０．３×１０−３Ｐａ・ｓ以上かつ２０×１０−３Ｐａ・ｓ以下であることが好ましい。
【手続補正８】
【補正対象書類名】明細書
【補正対象項目名】００１３
【補正方法】変更
【補正の内容】
【００１３】
［適用例３］
本発明の機能性インクでは、密度が８５０ｋｇ／ｍ３以上かつ１，２００ｋｇ／ｍ３以下であることが好ましい。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
［適用例５］
本発明の成膜方法は、本発明の機能性インクを、供給ラインを介して液滴吐出ヘッドに供給する工程と、
前記機能性インクを前記液滴吐出ヘッドから液滴として吐出して、記録媒体上に付着させることにより、前記機能性インクの液状被膜を形成する工程と、
前記液状被膜を乾燥させて、膜を形成する工程と、を有することを特徴とする。
【手続補正１４】
【補正対象書類名】明細書
【補正対象項目名】００２３
【補正方法】変更
【補正の内容】
【００２３】
［適用例６］
本発明の液滴吐出装置は、本発明の機能性インクを貯留する貯留部と、
前記機能性インクを液滴として吐出する液滴吐出ヘッドと、
前記貯留部と前記液滴吐出ヘッドとを接続し、前記機能性インクを前記貯留部から前記液滴吐出ヘッドに移送する供給ラインとを有することを特徴とする。
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２９
【補正方法】変更
【補正の内容】
【００２９】
以下、本発明の機能性インク、成膜方法および液滴吐出装置について、図面に示す好適な実施形態に基づいて説明する。なお、各図では、説明の便宜上、各部の縮尺が適宜変更されており、図示の構成は実際の縮尺と必ずしも一致するわけではない。
【手続補正１９】
【補正対象書類名】明細書
【補正対象項目名】００３０
【補正方法】変更
【補正の内容】
【００３０】
まず、以下では、本発明の機能性インク、成膜方法および液滴吐出装置の説明を行うのに先立って、本発明の機能性インクを使用可能な液滴吐出装置の一例の全体構成について説明する。
【手続補正２０】
【補正対象書類名】明細書
【補正対象項目名】０１８０
【補正方法】変更
【補正の内容】
【０１８０】
以上、本発明の機能性インク、成膜方法および液滴吐出装置を、図示の実施形態に基づいて説明したが、本発明はこれらに限定されるものでない。